(57)【要約】【課題】各種情報を活用しながら、精度を高い検索を実現するための情報検索支援システム、情報検索支援方法及び情報検索支援プログラムを提供する。【解決手段】管理コンピュータ２１がクライアント端末１０に画面データを送信する場合には、関連資料検索ボタンデータを付加する。この連資料検索ボタンが選択された場合、管理コンピュータ２１は、ＩＳＢＮに関する検索処理を実行し、検索結果リストを生成する。更に、管理コンピュータ２１は、単語分割処理、不要語の削除処理、重み付け処理、キーワードの特定処理を実行する。そして、このキーワードを用いて、学内資料情報記憶部２３、学外学術情報記憶部２４から関連資料を抽出した検索結果リストを生成する。管理コンピュータ２１は、各検索結果リストを統合してランキング処理を実行し、検索結果の表示処理を実行する。【選択図】図１
2007133505.tif 000002
【特許請求の範囲】
【請求項１】
資料毎に資料情報を記録した資料情報記憶手段と、クライアント端末に接続される管理コンピュータとを備えた情報検索支援システムであって、
前記管理コンピュータが、
前記クライアント端末の出力手段に表示された画面に含まれるテキストから検索対象単語を抽出する検索対象単語抽出手段と、
前記資料情報記憶手段から、前記検索対象単語を含む資料を検索し、特定した資料を列挙した検索結果リストを生成する検索手段と、
前記検索結果リストを含む表示画面データを生成し、更に、この表示画面に含まれるテキストを検索対象とする要求手段を含める画面生成手段
として機能することを特徴とする情報検索支援システム。
【請求項２】
前記資料情報記憶手段は、複数の情報記憶部から構成され、
前記検索手段が情報記憶部毎に検索を実行して検索結果リストを生成し、
前記画面生成手段が、生成した複数の検索結果リストを統合して表示画面データを生成することを特徴とする請求項１に記載の情報検索支援システム。
【請求項３】
前記検索対象単語抽出手段は、前記クライアント端末の出力手段に表示された画面に含まれるテキストを単語に分解し、不要語を除去し、重み付けを行なうことにより検索対象単語を抽出することを特徴とする請求項１又は２に記載の情報検索支援システム。
【請求項４】
前記情報検索支援システムは、各資料の重み付けを行なうランキング情報を格納したランキング情報記憶手段を更に備え、
前記画面生成手段が、前記検索結果リストに含まれる資料情報を、前記ランキング情報により並び替えた表示画面データを生成することを特徴とする請求項１〜３のいずれか一つに記載の情報検索支援システム。
【請求項５】
前記情報検索支援システムは、各資料のアクセス頻度に関する情報を格納したアクセス頻度情報記憶手段を更に備え、
前記画面生成手段が、前記検索結果リストに含まれる資料情報を、前記アクセス頻度により並び替えた表示画面データを生成することを特徴とする請求項１〜４のいずれか一つに記載の情報検索支援システム。
【請求項６】
資料毎に資料情報を記録した資料情報記憶手段と、クライアント端末に接続される管理コンピュータとを備えた情報検索支援システムを用いる情報検索支援方法であって、
前記管理コンピュータが、
前記クライアント端末の出力手段に表示された画面に含まれるテキストから検索対象単語を抽出する検索対象単語抽出段階と、
前記資料情報記憶手段から、前記検索対象単語を含む資料を検索し、特定した資料を列挙した検索結果リストを生成する検索段階と、
前記検索結果リストを含む表示画面データを生成し、更に、この表示画面に含まれるテキストを検索対象とする要求手段を含める画面生成段階と
を実行することを特徴とする情報検索支援方法。
【請求項７】
資料毎に資料情報を記録した資料情報記憶手段と、クライアント端末に接続される管理コンピュータとを備えた情報検索支援システムを用いる情報検索支援プログラムであって、
前記管理コンピュータを、
前記クライアント端末の出力手段に表示された画面に含まれるテキストから検索対象単
語を抽出する検索対象単語抽出手段と、
前記資料情報記憶手段から、前記検索対象単語を含む資料を検索し、特定した資料を列挙した検索結果リストを生成する検索手段と、
前記検索結果リストを含む表示画面データを生成し、更に、この表示画面に含まれるテキストを検索対象とする要求手段を含める画面生成手段
として機能させることを特徴とする情報検索支援プログラム。
【発明の詳細な説明】
【技術分野】
【０００１】
本発明は、情報検索支援システム、情報検索支援方法及び情報検索支援プログラムに関し、特に、図書館に蔵書された図書を検索する図書情報検索技術に関する。
【背景技術】
【０００２】
最近では、ネットワークを利用した図書検索システムにより、効率的に学術情報を探し出すことが可能になりつつある。この図書情報の検索方式としては、検索者自身が指示した検索キーにより、検索を行なう方式が一般的である。この場合、入力する検索キーは、資料情報に関する、例えば、タイトル、著者名等の書誌的事項や、日本十進分類表（ＮＤＣ）による分類番号などがある。しかし、この分類番号は、細分化されており、利用するためには、専門知識やスキルが必要である。このため、適切な検索キーや分類番号がわからない利用者にとっては、必要な情報が得られないことになる。
【０００３】
また、図書館の書架には、図書が分類番号の順に配架されており、その結果、関連がある本がひとまとまりに配置されるようになっている。更に、各図書には、通常、分類番号と図書記号からなる請求記号が付与されている。この図書記号は、同じ分類番号の図書の並び順を決めるためのもので、一般には書名や著者名の頭文字からとったものである。
しかし、このような分類番号を管理するためには、多大な時間、労力や費用が必要になる。
【０００４】
そこで、図書館の図書には付与されている分類番号や請求記号を用いることで、特別な作業を必要とすることなく、遠隔地にいる利用者に対しても、図書館で書架を眺める場合と同じ効果が得られる図書情報検索システムが開示されている（例えば、特許文献１参照。）。この文献では、所蔵する各図書について、図書の分類番号情報を含む図書情報を格納する図書情報データベースを備える。そして、利用者からの検索要求に応じて図書情報データベースを検索して該当する図書情報を取得し、検索結果の図書情報を一覧形式で表示する。この場合、検索手段は、一覧表示の中の図書を指定された場合、同じ分類番号の図書を検索し、一覧表示手段は、その検索結果の一覧情報を表示するようにする。
【特許文献１】特開２００４−１１０３２４号公報（第１頁）
【発明の開示】
【発明が解決しようとする課題】
【０００５】
今日では、多くの学術的情報がインターネット等のネットワーク上において公開されている。このような情報の検索を行なう場合、例えば、インターネット上で利用されている検索エンジンでは、ウェブ上の資源を集めてインデックスを提供している。一方、電子ジャーナルは独自の検索インターフェイスを準備している。このように、システムによって検索方法が異なっているため、それぞれ、別個に検索を行なう必要がある。これでは、利用者にとって煩雑である。
【０００６】
また、両者において共通した検索キーを適用した場合、検索結果に含まれるノイズが多くなることもある。このような検索結果から、必要な情報を取得するためには、ユーザが判断して情報を取捨選択する必要があり、ユーザのスキルに依存することになる。
【０００７】
本発明は、上記課題を解決するためになされたものであり、その目的は、各種情報を活用しながら、精度を高い検索を実現するための情報検索支援システム、情報検索支援方法及び情報検索支援プログラムを提供することにある。
【課題を解決するための手段】
【０００８】
上記問題点を解決するために、請求項１に記載の発明は、資料毎に資料情報を記録した資料情報記憶手段と、クライアント端末に接続される管理コンピュータとを備えた情報検索支援システムであって、前記管理コンピュータが、前記クライアント端末の出力手段に表示された画面に含まれるテキストから検索対象単語を抽出する検索対象単語抽出手段と、前記資料情報記憶手段から、前記検索対象単語を含む資料を検索し、特定した資料を列挙した検索結果リストを生成する検索手段と、前記検索結果リストを含む表示画面データを生成し、更に、この表示画面に含まれるテキストを検索対象とする要求手段を含める画面生成手段として機能することを要旨とする。
【０００９】
請求項２に記載の発明は、請求項１に記載の情報検索支援システムにおいて、前記資料情報記憶手段は、複数の情報記憶部から構成され、前記検索手段が情報記憶部毎に検索を実行して検索結果リストを生成し、前記画面生成手段が、生成した複数の検索結果リストを統合して表示画面データを生成することを要旨とする。
【００１０】
請求項３に記載の発明は、請求項１又は２に記載の情報検索支援システムにおいて、前記検索対象単語抽出手段は、前記クライアント端末の出力手段に表示された画面に含まれるテキストを単語に分解し、不要語を除去し、重み付けを行なうことにより検索対象単語を抽出することを要旨とする。
【００１１】
請求項４に記載の発明は、請求項１〜３のいずれか一つに記載の情報検索支援システムにおいて、前記情報検索支援システムは、各資料の重み付けを行なうランキング情報を格納したランキング情報記憶手段を更に備え、前記画面生成手段が、前記検索結果リストに含まれる資料情報を、前記ランキング情報により並び替えた表示画面データを生成することを要旨とする。
【００１２】
請求項５に記載の発明は、請求項１〜４のいずれか一つに記載の情報検索支援システムにおいて、前記情報検索支援システムは、各資料のアクセス頻度に関する情報を格納したアクセス頻度情報記憶手段を更に備え、前記画面生成手段が、前記検索結果リストに含まれる資料情報を、前記アクセス頻度により並び替えた表示画面データを生成することを要旨とする。
【００１３】
請求項６に記載の発明は、資料毎に資料情報を記録した資料情報記憶手段と、クライアント端末に接続される管理コンピュータとを備えた情報検索支援システムを用いる情報検索支援方法であって、前記管理コンピュータが、前記クライアント端末の出力手段に表示された画面に含まれるテキストから検索対象単語を抽出する検索対象単語抽出段階と、前記資料情報記憶手段から、前記検索対象単語を含む資料を検索し、特定した資料を列挙した検索結果リストを生成する検索段階と、前記検索結果リストを含む表示画面データを生成し、更に、この表示画面に含まれるテキストを検索対象とする要求手段を含める画面生成段階とを実行することを要旨とする。
【００１４】
請求項７に記載の発明は、資料毎に資料情報を記録した資料情報記憶手段と、クライアント端末に接続される管理コンピュータとを備えた情報検索支援システムを用いる情報検索支援プログラムであって、前記管理コンピュータを、前記クライアント端末の出力手段に表示された画面に含まれるテキストから検索対象単語を抽出する検索対象単語抽出手段と、前記資料情報記憶手段から、前記検索対象単語を含む資料を検索し、特定した資料を列挙した検索結果リストを生成する検索手段と、前記検索結果リストを含む表示画面データを生成し、更に、この表示画面に含まれるテキストを検索対象とする要求手段を含める画面生成手段として機能させることを要旨とする。
【００１５】
（作用）
本発明によれば、管理コンピュータが、クライアント端末の出力手段に表示された画面に含まれるテキストから検索対象単語を抽出する。そして、資料情報記憶手段から、前記検索対象単語を含む資料を検索し、特定した資料を列挙した検索結果リストを生成する。そして、この検索結果リストを含む表示画面データを生成するとともに、この表示画面に含まれるテキストを検索対象とする要求手段を含める。これにより、画面に表示された情報を利用して再検索を行なうことができ、検索精度を高めることができる。
【００１６】
本発明によれば、資料情報記憶手段は、複数の情報記憶部から構成され、検索手段が情報記憶部毎に検索を実行して検索結果リストを生成し、画面生成手段が、生成した複数の検索結果リストを統合して表示画面データを生成する。学術情報は複数の情報記憶部に分散されて記憶されている場合が多いが、この場合にも、共通したインターフェイスで検索を行なうことができる。
【００１７】
本発明によれば、クライアント端末の出力手段に表示された画面に含まれるテキストを単語に分解し、不要語を除去し、重み付けを行なう。これにより、検索対象単語を抽出することができる。
【００１８】
本発明によれば、情報検索支援システムは、各資料の重み付けを行なうランキング情報を格納したランキング情報記憶手段を更に備える。そして、検索結果リストに含まれる資料情報を、前記ランキング情報により並び替えた表示画面データを生成する。これにより、利用者の利便性を図ることができる。
【００１９】
本発明によれば、各資料のアクセス頻度に関する情報を格納したアクセス頻度情報記憶手段を更に備える。そして、検索結果リストに含まれる資料情報を、アクセス頻度により並び替えた表示画面データを生成する。これにより、利用者の利便性を図ることができる。
【発明の効果】
【００２０】
本発明によれば、検索結果をランキング表示させるとともに、先の検索結果を用いて、更に検索を行なうことにより、検索結果の精度を高めることができる。
【発明を実施するための最良の形態】
【００２１】
以下、本発明を具体化した一実施形態を、図１〜図３を用いて説明する。本実施形態では、学術情報の検索を行なうための情報検索支援システム、情報検索支援方法及び情報検索支援プログラムとして説明する。本実施形態では、図書館で、組織内でアクセス可能な情報の検索支援を行なう場合を想定する。
【００２２】
図１に示すように、クライアント端末１０が、ネットワークを介して学術情報管理サーバ２０に接続されている。この学術情報管理サーバ２０が情報検索支援システムとして機能する。
【００２３】
クライアント端末１０は、検索を行なう利用者のコンピュータ端末であり、制御手段（ＣＰＵ）、記憶手段（ＲＡＭ、ＲＯＭ等）、出力手段（ディプレイ等）、入力手段（キーボードやマウス等）、通信手段等を備える。このクライアント端末１０は、ブラウザプログラムを格納し、ブラウザ上で、ＨＴＭＬ（HyperText Markup Language ）等で記述されたウェブページや、ウェブページ上で各種機能を実現するスクリプト（プログラム）を実行する。具体的には、学術情報管理サーバ２０から受信したＨＴＭＬで記述されたウェブページを表示する。また、ウェブページ上で入力された各種指示を、学術情報管理サーバ２０に送信する。
【００２４】
一方、クライアント端末１０に接続された学術情報管理サーバ２０は、クライアント端末１０からの要求に応じて、各種情報を提供するコンピュータサーバである。この学術情報管理サーバ２０は、管理コンピュータ２１を備える。管理コンピュータ２１は、図示しない制御手段（ＣＰＵ）、記憶手段（ＲＡＭ、ＲＯＭ等）、通信手段等を備える。そして、この学術情報管理サーバ２０は、後述する処理（検索対象単語抽出段階、検索段階、画面生成段階等を含む処理）を行なう。このための情報検索支援プログラムを実行することにより、管理コンピュータ２１は、特許請求の範囲に記載の検索対象単語抽出手段、検索手段、画面生成手段等として機能する。
【００２５】
この学術情報管理サーバ２０は、複数の情報記憶部から構成された資料情報記憶手段を備える。具体的には、リンクソース記憶部２２、学内資料情報記憶部２３、学外学術情報記憶部２４である。更に、ランキング情報記憶手段としてのランキング情報記憶部２５及びアクセス頻度情報記憶手段としてのアクセス頻度情報記憶部２６を備える。
【００２６】
リンクソース記憶部２２には、リンクサーバ（図示せず）を用いて検索を行なうための情報源に関するリンクソースが格納されている。このリンクソースは、図書館で作成された場合に更新される。本実施形態では、リンクソースには、図書館目録、電子ジャーナル、各種データベース等が含まれる。この図書館目録は、図書館が所蔵する図書に関して書誌データを含む。この書誌データには、その図書の書名、出版者、刊行年、形態、出版国、著者情報、分類、ＩＳＢＮ（International Standard Book Number：国際標準図書番号）、ＮＣＩＤ（NACSIS-CATの書誌レコードＩＤ）等に関するデータを含む。
【００２７】
学内資料情報記憶部２３には、学内の資料に関する情報が格納されている。この学内資料情報は、学内で生成された学術資源や、ＮＩＩ（National Institute of Informatics ：国立情報学研究所）の機関リポジトリ（Institutional Repository）に登録された場合に回収され、記録される。ここで、学術機関リポジトリとは、大学や研究機関で生成された電子的な知的生産物を収集・保存・発信するための保存書庫である。学術機関リポジトリに含まれるコンテンツとしては、学術雑誌掲載論文、文献（プレプリント，ワーキングペーパ，テクニカルペーパ，会議発表論文，紀要，技術文書，調査報告等）、学位論文、教材等が挙げられる。学内資料情報は、資料識別子、書誌事項及び本文に関するデータを含んで構成される。
【００２８】
資料識別子データ領域には、学内資料情報を識別するために割り振られた識別子に関するデータが記録される。
書誌事項及び本文データ領域には、この学内資料情報の書誌及び本文に関するデータが記録される。
【００２９】
学外学術情報記憶部２４には、学外の学術情報が格納される。この学外学術情報は、学外から学術情報が収集され、重み付けや意味付けが行なわれて登録された場合に記録される。学外学術情報は、資料識別子、アクセス先、書誌事項、重み付け識別子及び意味付け識別子に関するデータを含んで構成される。
【００３０】
資料識別子データ領域には、学外学術情報を識別するために割り振られた識別子に関するデータが記録される。
アクセス先データ領域には、この学外学術情報が格納されたアクセス先に関するデータが記録される。
【００３１】
書誌事項データ領域には、この学外学術情報の概要に関するデータが記録される。例えば、インターネット上の資源に関しては、そのアブストラクトが記録される。
重み付け識別子及び意味付け識別子データ領域には、この学外学術情報に対して付与された重み付けや意味付けを特定するための識別子に関するデータが記録される。
【００３２】
ランキング情報記憶部２５には、各資料のランキングを行なうための情報が格納されている。このランキング情報は、図書館の担当者によって設定された場合に記録される。ランキング情報は、各データベースに格納された資料識別子毎にランキングに関するデータを含んで構成される。
【００３３】
資料識別子データ領域には、各データベースに格納された資料を識別するために割り振られた識別子に関するデータが記録される。
ランキングデータ領域には、この資料の重み付けに関するデータが記録される。例えば、「学内資料」や「学内教職員資料」については「３ポイント」、「図書館のお勧め」や「参考図書」については「２ポイント」のように、各資料を評価した結果がポイントとして記録される。
【００３４】
アクセス頻度情報記憶部２６には、各資料へのアクセス頻度に関する情報が格納されている。このアクセス頻度は、クライアント端末１０を用いて利用者から各データベースにアクセスがあった場合に更新される。このアクセス頻度は、各データベースに格納された資料識別子毎にアクセス回数に関するデータを含んで構成される。
【００３５】
資料識別子データ領域には、各データベースに格納された資料を識別するために割り振られた識別子に関するデータが記録される。
回数データ領域には、この資料へのアクセスが行なわれた回数に関するデータが記録される。
【００３６】
次に、上記のようなシステムを用いて、学術情報を検索する場合の処理手順を、図２及び図３に従って説明する。
（画面展開）
まず、クライアント端末１０を用いて、ブラウザプログラムを起動して、学術情報管理サーバ２０にアクセス要求を送信する。この場合、学術情報管理サーバ２０の管理コンピュータ２１は、クライアント端末１０にトップページ画面データを送信する。
【００３７】
ここで、管理コンピュータ２１がクライアント端末１０に表示画面データを送信する場合には、関連資料検索ボタンデータを付加する。この関連資料検索ボタンデータは、この表示画面に含まれるテキストを検索対象とする要求手段として機能し、具体的にはクライアント端末１０から学術情報管理サーバ２０に関連資料検索要求を送信するための機能を備える。
【００３８】
トップページ画面データを受信したクライアント端末１０のディスプレイのブラウザ上には、図２に示すトップページ５００が表示される。このトップページ５００には、通常の検索対象となるデータベースの選択ボタンが表示される。ここでは、例えば、電子ジャーナル、各種データベース、外部検索エンジン等の選択ボタンが表示される。そして、このトップページ５００には、関連資料検索ボタン１００が表示される。
【００３９】
そして、トップページ５００の選択ボタンを利用して、所望のデータベースが選択された場合、クライアント端末１０は、選択されたデータベースの検索画面要求を、学術情報管理サーバ２０に送信する。
【００４０】
この場合、学術情報管理サーバ２０の管理コンピュータ２１は、選択されたデータベースの検索画面データを取得し、クライアント端末１０に対して送信する。この場合も、管
理コンピュータ２１は、検索画面データに関連資料検索ボタンデータを付加する。
【００４１】
検索画面データを受信したクライアント端末１０のディスプレイのブラウザ上には、図２に示す検索画面５１０が表示される。この検索画面５１０には、キーワード入力欄１１０が設けられている。更に、検索画面５１０にも、関連資料検索ボタン１００が表示される。
【００４２】
このキーワード入力欄１１０に所望のキーワードを入力し、検索実行ボタンが選択された場合、クライアント端末１０は、入力されたキーワードに関するデータを含む検索要求を、学術情報管理サーバ２０に送信する。
【００４３】
この場合、学術情報管理サーバ２０の管理コンピュータ２１は、選択されたデータベースにおいて、受信したキーワードを用いて検索処理を行なう。ここでは、それぞれリンクソース記憶部２２、学内資料情報記憶部２３又は学外学術情報記憶部２４において、受信したキーワードを含む資料を抽出する。そして、抽出された各資料にアクセスするためのリンクデータを含む一覧リストデータを生成する。この一覧リストデータには、各資料の項目や書誌に関する情報を含める。そして、一覧リストデータを含む一覧画面データを生成する。この一覧画面データにも、関連資料検索ボタンデータを付加する。
【００４４】
一覧画面データを受信したクライアント端末１０のディスプレイのブラウザ上には、図２に示す一覧画面５２０が表示される。そして、所望の資料が選択された場合、クライアント端末１０は、選択された資料のリンクデータを用いて詳細表示要求を、学術情報管理サーバ２０に送信する。
【００４５】
この場合、学術情報管理サーバ２０の管理コンピュータ２１は、選択されたデータベースにおいて、要求された資料を抽出し、クライアント端末１０に詳細画面データを送信する。この場合にも、管理コンピュータ２１が、詳細画面データに関連資料検索ボタンデータを付加する。
【００４６】
詳細画面データを受信したクライアント端末１０のディスプレイのブラウザ上には、図２に示す詳細画面５３０が表示される。この詳細画面５３０にも、関連資料検索ボタン１００が表示される。
【００４７】
次に、各画面（５００〜５３０等）において、関連資料検索ボタン１００が選択された場合の処理を、図３を用いて説明する。
（関連資料検索処理）
各画面において、関連資料検索ボタン１００が選択された場合、管理コンピュータ２１は関連資料検索要求を、学術情報管理サーバ２０に送信する。
【００４８】
まず、管理コンピュータ２１は、ＩＳＢＮに関する検索処理を実行する（ステップＳ１）。ここでは、管理コンピュータ２１は、関連資料検索ボタン１００が選択された表示画面の画面データ（例えば、詳細画面５３０）において、ＩＳＢＮに関する情報を検索する。具体的には、ＩＳＢＮタグやＩＳＢＮ表示に関連付けられた番号を検索する。そして、抽出された番号がＩＳＢＮ形式に合致するかどうかを確認する。複数のＩＳＢＮを抽出した場合に、抽出されたＩＳＢＮを検索結果リストの中に含める。なお、ステップＳ１において、ＩＳＢＮが特定できない場合には、この処理はスキップされる。
【００４９】
そして、管理コンピュータ２１は、検索結果リストを生成する（ステップＳ２）。具体的には、管理コンピュータ２１は、抽出したＩＳＢＮを用いて、リンクソース記憶部２２に記録されたリンクソースから、ＩＳＢＮに関連する書籍を特定する。そして、特定した
書籍に関する情報（ここでは、書誌データ）を列挙した検索結果リストを生成する。
【００５０】
この処理に並行して、管理コンピュータ２１は、単語分割処理を実行する（ステップＳ３）。具体的には、関連資料検索ボタン１００が選択された表示画面の画面データ（例えば、詳細画面５２０）に含まれる全文を、例えば形態素解析処理を用いて品詞毎に区切り、単語毎に分割した単語群を生成する。
【００５１】
そして、管理コンピュータ２１は、不要語の削除処理を実行する（ステップＳ４）。例えば、不要語辞書データベース（図示せず）を用いて、助詞や形容詞、形式名詞、数詞、指示代名詞等の不要な単語を特定し、これらを分割された単語群から削除する。
【００５２】
次に、管理コンピュータ２１は、重み付け処理を実行する（ステップＳ５）。ここでは、ルール辞書データベース（図示せず）により、単語の重み付けを行なう。ルール辞書には、各品詞の前後に出現する名詞に着目した品詞規則ルールや、特定の構文パターンに着目した構文規則ルール等がある。この場合、不要語が除去された単語に対して各ルールを適用することにより、重み付けを行なう。
【００５３】
次に、管理コンピュータ２１は、キーワードの特定処理を実行する（ステップＳ６）。ここでは、重み付けされた単語を、順番に列挙することにより、高順位の単語をキーワードとして特定する。
【００５４】
次に、管理コンピュータ２１は、学内資料情報記憶部２３を用いて検索処理を実行する（ステップＳ７）。ここでは、ステップＳ６において特定したキーワードを、書誌や本文の中に含む資料を学内資料情報記憶部２３から検索する。
【００５５】
そして、管理コンピュータ２１は、検索結果リストを生成する（ステップＳ８）。ここでは、学内資料情報記憶部２３から抽出した検索結果を列挙した検索結果リストを生成する。
【００５６】
更に、管理コンピュータ２１は、学外学術情報記憶部２４を用いて検索処理を実行する（ステップＳ９）。ここでは、ステップＳ６において特定したキーワードを、アブストラクトの中に含む資料を学外学術情報記憶部２４から検索する。
【００５７】
そして、管理コンピュータ２１は、検索結果リストを生成する（ステップＳ１０）。ここでは、学外学術情報記憶部２４から抽出した検索結果を列挙した検索結果リストを生成する。
【００５８】
次に、管理コンピュータ２１は、ランキング処理を実行する（ステップＳ１１）。ここでは、まず、管理コンピュータ２１は、ステップＳ２、Ｓ８、Ｓ１０において生成した検索結果リストを統合する。そして、統合された検索結果リストに含まれる全資料に対してランキングを行なう。この場合、管理コンピュータ２１は、ランキング情報記憶部２５に記録されたランキングデータに基づいて、資料毎にスコアを付与する。更に、管理コンピュータ２１は、アクセス頻度情報記憶部２６に記録されたアクセス回数に基づいて、資料毎にスコアを付与する。そして、２つのスコアを加味して、各資料のランキングを決定する。
【００５９】
そして、管理コンピュータ２１は、検索結果の表示処理を実行する（ステップＳ１２）。具体的には、決定したランキングの順番に、各資料にアクセスするためのリンクデータを含む一覧リストデータを生成する。この一覧リストデータには、各資料の項目や書誌に関する情報を含める。そして、一覧リストデータを含む関連資料検索結果画面データを生
成する。この関連資料検索結果画面データにも、関連資料検索ボタンデータを付加する。
【００６０】
関連資料検索結果画面データを受信したクライアント端末１０のディスプレイのブラウザ上には、図２に示す関連資料検索結果画面５４０が表示される。そして、所望の資料が選択された場合、クライアント端末１０は、選択された資料のリンクデータを用いて詳細表示要求を、学術情報管理サーバ２０に送信する。また、関連資料検索結果画面５４０において、関連資料検索ボタン１００が選択された場合、管理コンピュータ２１は、関連資料検索結果画面５４０に含まれる表示データに基づいて関連資料検索処理を、再度、実行する。この処理は繰り返し実行することができる。
【００６１】
以上、本実施形態によれば、以下に示す効果を得ることができる。
・  上記実施形態では、管理コンピュータ２１が、クライアント端末１０に画面データを送信する場合には、関連資料検索ボタンデータを付加する。そして、管理コンピュータ２１は、関連資料検索ボタン１００が選択された表示画面の画面データに含まれる全文に対して単語分割処理を実行し（ステップＳ３）、不要語の削除処理を実行する（ステップＳ４）。次に、管理コンピュータ２１は、重み付け処理を実行し（ステップＳ５）、キーワードの特定処理を実行する（ステップＳ６）。これにより、具体的には、例えば形態素解析処理を用いて品詞毎に区切り、単語毎に分割した単語群を生成する。これにより、利用者はブラウザ上に表示されている自然文を検索語として用いることができる。
【００６２】
・  上記実施形態では、管理コンピュータ２１は、ランキング処理を実行する（ステップＳ１１）。ここでは、まず、管理コンピュータ２１は、ステップＳ２、Ｓ８、Ｓ１０において生成した検索結果リストを統合する。そして、統合された検索結果リストに含まれる全資料に対してランキングを行なう。これにより、複数のデータベースから抽出された検索結果を統合して、横断的に検索を行なうことができる。従って、複数のデータベースの中から、精度の高い資料を特定することができる。
【００６３】
・  上記実施形態では、管理コンピュータ２１は、検索結果の表示処理を実行する（ステップＳ１２）。具体的には、決定したランキングの順番に、各資料にアクセスするためのリンクデータを含む一覧リストデータを生成し、一覧リストデータを含む関連資料検索結果画面データを生成する。この関連資料検索結果画面データにも、関連資料検索ボタンデータを付加する。これにより、検索結果を用いて、関連資料検索処理を繰り返して実行することができ、検索精度を高めることができる。
【００６４】
なお、上記実施形態は、以下の態様に変更してもよい。
○  上記実施形態では、管理コンピュータ２１は、関連資料検索ボタン１００が選択された表示画面の画面データに含まれる全文に対して単語分割処理を実行する（ステップＳ３）。これに代えて、表示された検索結果の内容から、目的の情報に近いものをポインティングデバイス（例えば、マウス）で選択し、選択した範囲を検索対象としてもよい。この場合、マウスを用いることにより、表示された検索結果の所定領域をアクティブにする。この場合、この範囲のテキストを一時メモリに格納する。そして、管理コンピュータ２１は、この範囲を関連資料検索処理の対象として、ステップＳ１〜Ｓ１２を実行する。これにより、利用者により絞り込まれた範囲で検索を実行するので、より精度を高めることができる。
【００６５】
○  上記実施形態では、ＩＳＢＮに関する検索処理（ステップＳ１）と、キーワードの特定処理（ステップＳ３〜Ｓ６）後に各検索処理（ステップＳ７〜Ｓ１０）とを行なう。この場合、各検索処理の順番は限定されるものではない。各種データベースを用いて検索結果リストを生成することができれば、統合してランキングを行なうことができる。
【００６６】
○  上記実施形態では、キーワードの特定処理において、不要語の削除処理を実行する（ステップＳ４）。この場合、不要語辞書データベースを用いるが、不要語を削除することができれば、これに限定されるものではない。更に、重み付け処理を実行する場合には（ステップＳ５）、ルール辞書データベース（図示せず）により、単語の重み付けを行なうが、これに限定されるものではない。関連資料検索ボタン１００が選択された表示画面の画面データにおいて、キーワードを特定することができればよい。
【００６７】
○  上記実施形態では、図書館で、組織内でアクセス可能な情報の検索支援を行なう場合を想定したが、複数のデータベースを用いて横断的に情報を検索するシステムに適用することが可能である。
【図面の簡単な説明】
【００６８】
【図１】本発明の一実施形態のシステムの概略図。
【図２】クライアント端末のディスプレイのブラウザ上の画面展開の説明図。
【図３】本発明の一実施形態の処理手順の説明図。
【符号の説明】
【００６９】
１０…クライアント端末、２０…情報検索支援装置としての学術情報管理サーバ、２１…管理コンピュータ、２２…リンクソース記憶部、２３…学内資料情報記憶部、２４…学外学術情報記憶部、２５…ランキング情報記憶部、２６…アクセス頻度情報記憶部。
【図１】
2007133505.tif 000003
【図２】
2007133505.tif 000004
【図３】
2007133505.tif 000005